(57)【要約】【課題】壁の段差発生を防ぎ、隣接する壁の平面度調整が容易で、かご室内からの作業で組立てられるエレベータのかご室を得る。【解決手段】かご室内側壁面を構成する主面部の両端部でそれぞれ外側方向に折曲された連結部、該連結部の外側端部で主面部の中心方向に折曲された折返し片を有する複数の壁パネル２が連結部材で連結された壁を備えたエレベータのかご室において、壁パネルは、隣接する一方の壁パネルの折返し片２３Ａ及び他方の壁パネルの折返し片２３Ｂにそれぞれ挿通孔２４が設けられている。そして連結部材として、一端部側に隣接する一方の壁パネルの折返し片に固定される固定部３１を有し、該固定部から上記各挿通孔に挿通されて各壁パネルの裏面側に連なる他端部側には、上記各連結部の裏面を挟み込むように押圧する２つの押圧部３２と、上記各主面部の裏面にそれぞれ当接する２つの当接部３３とを有するクリップ部材３を用いる。【選択図】図１
2008120470.tif 000002
【特許請求の範囲】
【請求項１】
かご室の内側壁面を構成する主面部と、この主面部の両端部でそれぞれ外側方向に折曲された連結部と、この連結部の外側端部で上記主面部の中心部方向に折曲された折返し片とを有する複数の壁パネルが、連結部材によって相互に連結された壁を備えたエレベータのかご室において、上記壁パネルは、隣接する一方の壁パネルの折返し片及び他方の壁パネルの折返し片にそれぞれ挿通孔が設けられてなり、上記連結部材は、一端部側に上記隣接する一方の壁パネルの折返し片に固定される固定部を有し、この固定部から上記各挿通孔に挿通されて上記各壁パネルの裏面側に連なるように配設された他端部側に、上記各連結部の裏面を挟み込むように押圧する２つの押圧部と、上記各主面部の裏面にそれぞれ当接する２つの当接部とを有するクリップ部材からなることを特徴とするエレベータのかご室。
【請求項２】
上記クリップ部材は、１枚の板材から形成されてなることを特徴とする請求項１に記載のエレベータのかご室。
【発明の詳細な説明】
【技術分野】
【０００１】
この発明はエレベータのかご室に関し、さらに詳細には隣接する壁パネルをクリップ部材で連結するようにしたエレベータのかご室に関する。
【背景技術】
【０００２】
従来技術によるエレベータのかご室として、乗りかごの壁面を構成する側板を複数枚に分割し、背面中間側板を除く他の側板を固定した後、この背面中間側板を、背面両脇側板間に表面側から嵌め込んで側板を組み立てるエレベーターの乗りかごにおいて、前記背面両脇側板に取付けた付勢部材と、前記背面中間側板とを面接触させて、圧接により前記背面中間側板を保持するようにしたものがある（例えば特許文献１参照。）。
【０００３】
【特許文献１】特開２００４−３３１３６２号公報（第１頁、図１）
【発明の開示】
【発明が解決しようとする課題】
【０００４】
上記のような従来技術においては、壁の片側にのみクリップを付け、もう一方の壁には切欠きを設けた構造になっているため、クリップが付けられている壁が人為的に押された場合、隣接する壁相互の平面度調整を行なうことができず、連結している相互の壁間において意匠性を損なう段差（ズレ）が生じる惧れがあるという課題があった。なお、隣接する壁の連結部にボルトを壁の面方向に挿通してナットにより締結するという従来方法では、昇降路内の作業のため不安全である上、連結部の平面度調整に時間を要し、締結箇所が多いことと相俟って、作業性が悪いという問題があった。
【０００５】
この発明は上記のような従来技術の課題を解消するためになされたもので、壁が押されても段差が生じるのを防ぎ、隣接する壁相互の平面度調整が容易で、かご内からの作業で組立てることが出来るエレベータのかご室を提供することを目的としている。
【課題を解決するための手段】
【０００６】
この発明によるエレベータのかご室は、かご室の内側壁面を構成する主面部と、この主面部の両端部でそれぞれ外側方向に折曲された連結部と、この連結部の外側端部で上記主面部の中心部方向に折曲された折返し片とを有する複数の壁パネルが、連結部材によって相互に連結された壁を備えたエレベータのかご室において、上記壁パネルは、隣接する一方の壁パネルの折返し片及び他方の壁パネルの折返し片にそれぞれ挿通孔が設けられている。そして上記連結部材として、一端部側に上記隣接する一方の壁パネルの折返し片に固定される固定部を有し、この固定部から上記各挿通孔に挿通されて上記各壁パネルの裏面側に連なるように配設された他端部側には、上記各連結部の裏面を挟み込むように押圧する２つの押圧部と、上記各主面部の裏面にそれぞれ当接する２つの当接部とを有するクリップ部材を用いるようにしたものである。
【発明の効果】
【０００７】
この発明においては、クリップ部材の他端部側に形成された２つの押圧部によって隣接する壁パネルの連結部相互を挟持する如く保持すると共に、該クリップ部材の他端部に形成された２つの当接部が壁パネルの主面部の裏面にそれぞれ当接するようにしたことにより、段差の発生を防止し、隣接する壁相互の平面度調整が容易で、かご内からの作業で組立てることが出来る。
【発明を実施するための最良の形態】
【０００８】
実施の形態１．
図１〜図４は本発明の実施の形態１によるエレベータのかご室を説明するもので、図１は隣接する壁パネルの連結部を外側から見たときの要部斜視図、図２は図１に示すかご室の壁パネルの連結構成を示す平面図、図３は図１に示されたクリップ部材の構造を示すもので、（ａ）は斜視図、（ｂ）は上面図、図４は図１のＩＶ−ＩＶ線における矢視断面図である。図において、エレベータのかご室１の壁は、図２に示すように板材からなる所定形状の複数の壁パネル２を円で囲む連結部で相互に連結して構成されている。壁パネル２は、かご室１の内側壁面を構成する主面部２１と、この主面部２１の両端部でそれぞれ外側方向に折曲された連結部２２と、この連結部２２の外側端部で上記主面部２１の中心部方向に折曲された折返し片２３とを有する。なお、説明の便宜上隣接する一方の壁パネルには符号の末尾にＡを、他方の壁パネルには符号の末尾にＢを適宜付して区別する。
【０００９】
隣接する一方の壁パネル２Ａの折返し片２３Ａ、及び他方の壁パネル２Ｂの折返し片２３Ｂには、上下方向に離間して設けられた複数の挿通孔２４Ａ、及び２４Ｂが互いに隣接するようにそれぞれ形成されている。なお、この実施の形態１では挿通孔２４は、折返し片２３と連結部２２の角部に相互に跨って開口されている。隣接する壁パネル２Ａ及び壁パネル２Ｂ相互を連結する連結部材としてのクリップ部材３は、一端部側に上記隣接する一方の壁パネル２Ａの折返し片２３Ａに固定される固定部３１を有し、この固定部３１から上記各挿通孔２４Ａ、２４Ｂに各別に分岐して挿通されて上記各壁パネル２Ａ、２Ｂの裏面側に連なるように配設された他端部側に、上記各連結部２２Ａ、２２Ｂの裏面を挟み込むように押圧する２つの押圧部３２と、上記各主面部２１Ａ、２１Ｂの裏面にそれぞれ当接する２つの当接部３３とが形成されている。
【００１０】
上記クリップ部材３は、この実施の形態１では例えば鋼板等の１枚の板材からなり、２つの押圧部３２（及び２つの当接部３３）は、図１の上下方向に互いにずれた位置に設けられ、非装着時には、図３（ｂ）に示すように相手の方向に傾斜され、装着時には、ばねアクションにより連結部２２Ａ、２２Ｂ相互を挟持する如く押圧し、隣接する壁パネル２Ａ、２Ｂを密着させるように形成されている。なお、クリップ部材３の他端部側に設けられた押圧部３２及び当接部３３は、図３（ｂ）に示すように上から見たときに左右対称的に形成されている。そして、当接部３３の先端は装着時に一直線上に並ぶように形成されている。また、クリップ部材３の固定部３１には、ボルト４を挿通させるための複数の固定穴３１ａが設けられている。その他の構成部分は従来装置と同様であるので説明を省略する。また、各図を通じて同一符号は同一部分を示している。
【００１１】
次に上記のように構成された実施の形態１の動作について説明する。先ず、隣接する一方の壁パネル２Ａの折返し片２３Ａの所定部に、クリップ部材３を、その先端部側が隣接する壁パネル２Ａ、２Ｂの挿通孔２４Ａ、２４Ｂから分かれてそれぞれの壁パネル２Ａ、２Ｂの裏面側に進入するように押し込み、該クリップ部材３の固定部３１を折返し片２３Ａに密接させ、固定穴３１ａを利用してボルト４あるいは図示していないリベット等で固定する。同様に複数のクリップ部材３を全て取り付ける。次に、そのクリップ部材３を取り付けた壁パネル２Ａをかご室１を構成する図示省略している床枠等のフレーム部材に取り付ける。なお、この取り付け方法は従来技術と全く同様であるので詳細説明を省略するが、図２の例では、図の右側の壁パネル２の内、図の上部側が一方の壁パネル２Ａ、下方側が他方の壁パネル２Ｂに対応する。
【００１２】
次に、他方の壁パネル２Ｂを用意し、折返し片２３Ｂの挿通孔２４Ｂからクリップ部材３の他端部側の当接部３３を挿通させ、該他端部側のばねの付勢力に抗して押圧部３２を広げつつ連結部２２Ｂを押圧部３２、３２相互の間に押込むようにして、当接部３３が他方の壁パネル２Ｂの主面部２１Ｂの裏面に当接するまで該他方の壁パネル２Ｂを室内側から室外方向に押し込む。なお、他方の壁パネル２Ｂを押込む場合、該壁パネル２Ｂの上または下を前傾させて、上下方向に例えば５〜７箇所設けられたクリップ部材３の当接部３３を順次折返し片２３Ｂの挿通孔２４Ｂに嵌め込むことで取付作業が容易となる。上記のように他方の壁パネル２Ｂを取り付ける作業において、各クリップ部材３の当接部３３が段差防止のストッパーとなり、一方の壁パネル２Ａとの連結部が常にフラットな状態で連結される。また昇降路側での締結作業を不要にできる。
【００１３】
上記のように実施の形態１によれば、隣接する一方の壁パネル２Ａの折返し片２３Ａに一端部側の固定部３１が固定され、この固定部３１から分岐されて隣接する各壁パネル２Ａ、２Ｂの裏面側に連なるように配設された他端部側に、各連結部２２Ａ、２２Ｂの裏面を挟み込むように押圧する２つの押圧部３２、３２と、各主面部２１Ａ、２１Ｂの裏面にそれぞれ当接する２つの当接部３３、３３とを有するクリップ部材３を用いて連結するようにしたので、隣接する壁パネル２Ａ、２Ｂ相互の平面度調整作業が不要となり、かご室１内からの作業で組立てることが出来る。このため、組立時間と平面度調整に要する調整時間の双方を短縮することができ、作業者の安全性も確保される。さらに壁パネル２が室内側から外側方向に人為的に押された場合、クリップ部材３の当接部３３がストッパーとなり、意匠性を損なう段差（ズレ）の発生を解消することができる。
【００１４】
なお、上記実施の形態の説明では、クリップ部材３を１枚の板材から形成した場合について例示したが、これに限定されるものではなく、複数枚の板材から形成することも出来る。また、押圧部３２と当接部３３が壁パネルの面方向にずれている場合について示したが、対向するように位置を合わせたものとすることも出来る。また、挿通孔２４は折返し片２３と連結部２２に跨って形成したが、クリップ部材３の形状によっては折返し片２３のみに設けたものでも同様に構成できることは明らかである。その他、種々の変形や変更が可能であることは言うまでもない。
【図面の簡単な説明】
【００１５】
【図１】この発明の実施の形態１によるエレベータのかご室における隣接する壁パネルの連結部を外側から見たときの要部斜視図。
【図２】図１に示すかご室の壁パネルの連結構成を示す平面図。
【図３】図１に示されたクリップ部材の構造を示すもので、（ａ）は斜視図、（ｂ）は上面図。
【図４】図１のＩＶ−ＩＶ線における矢視断面図。
【符号の説明】
【００１６】
１  かご室
２  壁パネル（  ２Ａ  一方の壁パネル、  ２Ｂ  他方の壁パネル）
２１（２１Ａ、２１Ｂ）  主面部
２２（２２Ａ、２２Ｂ）  連結部
２３（２３Ａ、２３Ｂ）  折返し片
２４（２４Ａ、２４Ｂ）  挿通孔
３  クリップ部材（連結部材）
３１  固定部
３１ａ  固定穴
３２  押圧部
３３  当接部
４  ボルト
【図１】
2008120470.tif 000003
【図２】
2008120470.tif 000004
【図３】
2008120470.tif 000005
【図４】
2008120470.tif 000006